(57)【要約】【課題】触媒を使用しなくても簡単な構造で、充分な空気の供給によって未燃焼ガスを高効率で燃焼させ、未燃焼ガスの発生を低減し、製造コストの軽減を図る。【解決手段】本体１０の燃焼室１１内に薪が載置される平面状の載置部１３を設け、本体１０に、載置部１３の上側中央に向けて斜め上方から外気を供給可能な流出口４１を有した傾斜空気供給管４０を、流出口４１が載置部１３の中心線に対して対称に配置されるように複数設け、更に、載置部１３の上側中央に向けて、水平に外気を供給可能な流出口５１を有した水平空気供給管５０を、流出口５１が載置部１３の中心線に対して対称に配置されるように複数設けた。【選択図】　図１
2004077060.tif 000002
【特許請求の範囲】
【請求項１】
薪が入れられる燃焼室を構成する本体と、上記本体に設けられ薪が投入される投入口と、上記本体に設けられ燃焼室に連通する煙突とを備えた薪ストーブにおいて、
上記燃焼室内に薪が載置される平面状の載置部を設け、上記本体に、上記載置部の上側中央に向けて斜め上方から外気を供給可能な流出口を有した傾斜空気供給管を、該流出口が上記載置部の中心線に対して対称に配置されるように複数設けたことを特徴とする薪ストーブ。
【請求項２】
上記傾斜空気供給管を、上記本体の外側部に沿って延設して上記本体の下側に外気の流入口を位置させたことを特徴とする請求項１記載の薪ストーブ。
【請求項３】
上記本体に、上記載置部の上側中央に向けて、水平に外気を供給可能な流出口を有した水平空気供給管を、該流出口が上記載置部の中心線に対して対称に配置されるように複数設けたことを特徴とする請求項１または２記載の薪ストーブ。
【請求項４】
上記載置部の中央上方に上端が閉塞された筒状の覆い部を設け、上記傾斜空気供給管の流出口を上記覆い部の下端の開口に臨ませたことを特徴とする請求項１，２または３記載の薪ストーブ。
【請求項５】
上記覆い部を、上記本体から突出し、上端が開閉可能な薪の投入口として形成されるとともに、投入された薪を貯留する筒状体で構成したことを特徴とする請求項１，２，３または４記載の薪ストーブ。
【発明の詳細な説明】
【０００１】
【発明の属する技術分野】
本発明は、燃料として薪を燃焼させて暖を得る薪ストーブに関する。
【０００２】
【従来の技術】
従来、薪を燃焼させる薪ストーブとしては、例えば、下記の特許文献１（特開２０００−４６３３４号公報）に掲載されたものが知られている。
この薪ストーブＳは、図７に示すように、薪が入れられる燃焼室２を構成する本体１と、この本体１に設けられ薪が投入される投入口３と、本体に設けられ燃焼室２に連通する煙突４とを備えている。
このような、薪ストーブＳにおいては、排気ガスに未燃焼ガスを多量に含むことを防止するために、燃焼室２の上側であって煙突４の手前に連通口５を介して連通する二次燃焼室６を設け、この二次燃焼室６内に未燃焼ガスの燃焼を促進する白金触媒７を備えている。
【０００３】
これにより、燃焼室２へ、薪を投入し、火をつけて燃焼させると、燃焼室２に燃焼によって発生した未燃焼ガスを含んだ排気ガスは、暖まっているので、連通口５を通り二次燃焼室６へ至り、白金触媒７によって未燃焼ガスの燃焼が促進させられる。このため、排気ガスに含まれる未燃焼ガスが低減されている。
【０００４】
【特許文献１】
特開２０００−４６３３４号公報
【０００５】
【発明が解決しようとする課題】
ところで、このような従来の薪ストーブにあっては、未燃焼ガスを二次燃焼させて、排気ガスをクリーンにしているが、上方に二次燃焼室を設けこれに触媒を備えているので、構造が複雑で部品コストも高く、製造コストが高くなっているという問題がある。
本発明は上記の問題点に鑑みて為されたもので、触媒を使用しなくても簡単な構造で、充分な空気の供給によって未燃焼ガスを高効率で燃焼させ、未燃焼ガスの排気を低減させ、製造コストを軽減させた薪ストーブを提供することを目的とする。
【０００６】
【課題を解決するための手段】
このような目的を達成するための本発明の薪ストーブは、薪が入れられる燃焼室を構成する本体と、上記本体に設けられ薪が投入される投入口と、上記本体に設けられ燃焼室に連通する煙突とを備えた薪ストーブにおいて、
上記燃焼室内に薪が載置される平面状の載置部を設け、上記本体に、上記載置部の上側中央に向けて斜め上方から外気を供給可能な流出口を有した、傾斜空気供給管を該流出口が上記載置部の中心線に対して対称に配置されるように複数設けて構成している。
【０００７】
これにより、薪を燃やすときは、投入口から薪を本体の燃焼室に投入し、載置部に載置する。この状態で薪に点火すると、薪が燃焼していき、これによって生じる未燃焼ガスが載置部の上方へ上昇していくが、傾斜空気供給管の流出口からは、載置部の上側中央に向けて斜め上方から外気が供給される。そのため、載置部の上方において充分な空気の供給によって未燃焼ガスが高効率で燃焼させられ、煙突からの未燃焼ガスの排気が低減させられる。また、斜め上方から外気が供給されるので、未燃焼ガスが一次燃焼側に押し戻されて燃焼させられるようになり、この点でも未燃焼ガスが高効率で燃焼させられ、未燃焼ガスの排気が低減させられる。更に、流出口が載置部の中心線に対して対称に配置されているので、ガスの対流が規則的に安定することになり、そのため、燃焼が円滑に行なわれる。
また、従来のように触媒を使用しなくても傾斜空気供給管を設けるだけの簡単な構造で、充分な空気の供給によって未燃焼ガスを高効率で燃焼させることができ、それだけ、製造コストが低減させられる。
【０００８】
また、必要に応じ、上記傾斜空気供給管を、上記本体の外側部に沿って延設して上記本体の下側に外気の流入口を位置させた構成としている。傾斜空気供給管が本体の外側部に長く延設されるので、排気ガスの逆流を起こりにくくすることができる。
【０００９】
更に、必要に応じ、上記本体に、上記載置部の上側中央に向けて、水平に外気を供給可能な流出口を有した水平空気供給管を該流出口が上記載置部の中心線に対して対称に配置されるように複数設けた構成としている。載置部の面に沿って、外気をくまなく供給でき、一次燃焼を促進し、未燃焼ガスの発生を減じることができる。また、流出口が載置部の中心線に対して対称に配置されているので、ガスの対流が規則的に安定することになり、そのため、燃焼が円滑に行なわれる。
【００１０】
そしてまた、必要に応じ、上記載置部の中央上方に上端が閉塞された筒状の覆い部を設け、上記傾斜空気供給管の流出口を上記覆い部の下端の開口に臨ませて構成している。未燃焼ガスが覆い部で抑えられ上昇して対流しにくくなるとともに、この抑えられて停留した未燃焼ガスに傾斜空気供給管の流出口からの空気が流入するので、確実に二次燃焼が行なわれる。
【００１１】
更にまた、必要に応じ、上記覆い部を、上記本体から突出し、上端が開閉可能な薪の投入口として形成されるとともに、投入された薪を貯留する筒状体で構成している。薪を貯留でき、薪を投入する頻度を低減できるので、手間を省くことができ、煩雑さを少なくできる。
【００１２】
【発明の実施の形態】
以下、添付図面に基づいて、本発明の実施の形態に係る薪ストーブについて詳細に説明する。
図１乃至図４には、本発明の第一の実施の形態に係る薪ストーブＳを示している。
【００１３】
この薪ストーブＳは、薪が入れられる燃焼室１１を構成する本体１０を備えている。本体１０は、円筒型で、中空になっている。また、底部に足１２を備えている。また、本体１０の上面後ろ側には、燃焼室１１に連通する煙突１７が立設されている。
更に、燃焼室１１内の下側には薪が載置される平面状の載置部１３が設けられている。
更にまた、燃焼室１１の載置部１３の中央上方には上端が閉塞された筒状の覆い部１４が設けられている。この覆い部１４は、本体１０から突出し、上端が開閉可能な後述の薪の第二投入口３０として形成されるとともに、投入された薪を貯留する筒状体１４ａで構成されている。
【００１４】
また、本体１０には薪が投入される投入口が設けられている。投入口としては、第一投入口２０及び第二投入口３０があり、第一投入口２０は、本体１０前面中央に設けられている。第一投入口２０は開閉可能な扉２１を備えている。扉２１の端部は投入口の開口部にヒンジ結合されている。扉２１の中央は、透明な耐熱性のガラスで形成された窓２２がはめ込まれていて、載置部１３で燃焼する薪の様子が視認できるようになっている。
【００１５】
また、第二投入口３０は本体１０上部に突設した筒状体１４ａの先端の開口に設けられている。第二投入口３０には、開閉可能な蓋３１が設けられていて、薪ストーブＳを使用するときは蓋３１を閉じておく。第二投入口３０を使用したときは、筒状体１４ａに薪を貯留することができ、薪の追加投入作業を何度も行なわなくても良くなり、それだけ煩雑さを少なくすることができる。
【００１６】
載置部１３の前側には、灰取出口１５が設けられており、この灰取出口１５から載置部１３下部に設けた引出状の灰受け部１６に灰が掻き入れられるようになっている。
【００１７】
また、本体１０には、載置部１３の上側中央に向けて斜め上方から外気を供給可能な流出口４１を有した傾斜空気供給管４０が、流出口４１が載置部１３の中心線Ｐに対して対称に配置されるように複数（実施の形態では一対）設けられている。詳しくは、傾斜空気供給管４０は、本体１０の左右に設けられ、その流入口４２を本体１０の両側外部に露出し、流出口４１を載置部１３の上方に位置させている。また、傾斜空気供給管４０は、本体１０の外側部に沿って延設され、本体１０の下側に外気の流入口４２が位置させられている。即ち、傾斜空気供給管４０の流入口４２側は本体１０の側方において下方に延びるよう延設されて延設部４３を構成し、流入口４２は地面に向けられている。流出口４１は、夫々覆い部１４の下端の開口に臨ませてあって、互いが向き合うように載置部１３の中心線Ｐに対して、左右対称に配置されている。
【００１８】
更に、本体１０には、載置部１３の上側中央に向けて、水平に外気を供給可能な流出口５１を有した水平空気供給管５０が、流出口５１が載置部１３の中心線Ｐに対して対称に配置されるように複数（実施の形態では一対）設けられている。詳しくは、各水平空気供給管５０は流入口５２と流出口５１を備え、流入口５２は本体１０下部に設けられ、流出口５１は載置部１３の両側方に、互いが向き合うように中心線Ｐに左右対称に位置されている。
【００１９】
傾斜及び水平空気供給管４０，５０の外気の流入口４２，５２には、夫々流入量調節機構４４，５４が設けられており、外気の流入を調節できるようになっている。窓２２から炎を視認しながら、炎の強さの調節ができ、外気の流入を好適に調節可能になっている。
【００２０】
従って、本発明の薪ストーブＳを用いるときは、図２乃至図４に示すように、第一投入口２０から載置部１３へ薪を載置し点火するか、または、第二投入口３０に薪を貯留して点火する。このようにして投入され載置部１３に載置された薪は、水平空気供給管５０と傾斜空気供給管４０とから供給される外気で燃焼を始める。
この場合、水平空気供給管５０の流出口５１からは、載置部１３の上側中央に向けて、水平に外気が供給されるので、載置部１３の面に沿って外気がくまなく供給され、一次燃焼が促進され、未燃焼ガスの発生が低減される。また、流出口５１は載置部１３の中心線Ｐに対して対称に配置されているので、ガスの対流が規則的に安定することになり、そのため、燃焼が円滑に行なわれる。
【００２１】
燃焼しきらなかった未燃焼ガスを含むガスは、載置部１３の上方へ上がるが、傾斜空気供給管４０の流出口４１からは、載置部１３の上側中央に向けて斜め上方から外気が供給される。そのため、載置部１３の上方において充分な空気の供給によって未燃焼ガスが高効率で燃焼させられ、煙突１７からの未燃焼ガスの排気が低減させられる。また、斜め上方から外気が供給されるので、未燃焼ガスが一次燃焼側に押し戻されて燃焼させられるようになり、この点でも未燃焼ガスが高効率で燃焼させられ、未燃焼ガスの排気が低減させられる。更に、流出口４１が載置部１３の中心線Ｐに対して対称に配置されているので、ガスの対流が規則的に安定することになり、そのため、燃焼が円滑に行なわれる。
【００２２】
また、この場合、傾斜空気供給管４０が本体１０の外側部に長く延設されるので、排気ガスの逆流が起こりにくくなり、円滑に燃焼が行なわれる。詳しくは、本体１０内の暖められた空気（排気ガスを含む）は、より上方へ行こうとするので、傾斜空気供給管４０の流出口４１から排気ガスが逆流しようとした場合、流入口４２が地面方向に向けられているので、暖まった排気ガスが流入口４２から流出することができにくくなる。このため、排気ガスは煙突１７から排気され、本体１０内が何らかの原因で異常に気圧が高くならない限り、空気供給管４０，５０からの逆流を防ぐことができる。
【００２３】
更に、載置部１３の中央上方に覆い部１４が設けられ、傾斜空気供給管４０の流出口４１が覆い部１３の下端の開口に臨んでいるので、未燃焼ガスが覆い部１４で抑えられ上昇して対流しにくくなるとともに、この抑えられて停留した未燃焼ガスに傾斜空気供給管４０の流出口４１からの空気が流入するので、確実に二次燃焼が行なわれる。
その結果、良好な二次燃焼を行なうことができ、未燃焼ガスが減じられ、煙突１７から排気される排気ガス中の未燃焼ガスが低減させられる。
【００２４】
また、図５及び図６には、本発明の第二の実施の形態に係る薪ストーブＳを示している。この薪ストーブＳは、第一の実施の形態に係る薪ストーブＳと略同様に形成されるが、第一の実施の形態と異なって、覆い部１４がカップ状に形成され、燃焼室１１内に収容されている。作用，効果は上記第一の実施の形態と同様である。このようにした場合、本体の上辺に空間ができ、調理などに使用することが可能になる。
【００２５】
【発明の効果】
以上説明したように、本発明の薪ストーブによれば、載置部の上側中央に向けて斜め上方から外気を供給可能な流出口を有した傾斜空気供給管を流出口が中心線に対して対称に配置されるように複数設けた構成としたので、載置部の上方において充分な空気の供給によって未燃焼ガスを高効率で燃焼させることができ、煙突からの未燃焼ガスの排気を低減することができ、周囲の環境を汚染しにくくすることができる。
【００２６】
また、斜め上方から外気が供給されるので、未燃焼ガスが一次燃焼側に押し戻されて燃焼させられるようになり、この点でも未燃焼ガスを高効率で燃焼させることができ、煙突からの未燃焼ガスの排気を低減することができる。更に、流出口が載置部の中心線に対して対称に配置されているので、ガスの対流が規則的に安定することになり、そのため、燃焼をより一層円滑に行なわせることができる。
更に、従来のように触媒を使用しなくても傾斜空気供給管を設けるだけの簡単な構造で、充分な空気の供給によって未燃焼ガスを高効率で燃焼させることができ、それだけ、製造コストを低減することができる。
【００２７】
また、傾斜空気供給管を、本体の外側部に沿って延設して本体の下側に外気の流入口を位置させた場合には、傾斜空気供給管から、排気ガスの逆流が起こりにくくなり、燃焼を確実に行なわせることができる。
更に、載置部の上側中央に向けて、水平に外気を供給可能な流出口を有した水平空気供給管を流出口が載置部の中心線に対して対称に配置されるように複数設けた場合には、載置部の面に沿って、外気をくまなく供給でき、一次燃焼を促進し、未燃焼ガスの発生を減じることができる。また、流出口が載置部の中心線に対して対称に配置されているので、ガスの対流が規則的に安定することになり、そのため、燃焼を円滑に行なわせることができる。
【００２８】
更にまた、載置部の中央上方に筒状の覆い部を設け、傾斜空気供給管の流出口を覆い部の下端の開口に臨ませた場合には、未燃焼ガスが覆い部で抑えられ上昇して対流しにくくなるとともに、この抑えられて停留した未燃焼ガスに傾斜空気供給管の流出口からの空気が流入するので、確実に二次燃焼を行なわせることができる。
また、覆い部を上端が開閉可能な薪の投入口として形成され、投入された薪を貯留する筒状体で構成した場合には、薪を貯留でき、薪を投入する頻度を低減できるので、手間を省くことができ、煩雑さを少なくできるという効果がある。
【図面の簡単な説明】
【図１】本発明の第一の実施の形態に係る薪ストーブを示す斜視図である。
【図２】本発明の第一の実施の形態に係る薪ストーブを示す正面断面図である。
【図３】本発明の第一の実施の形態に係る薪ストーブを示す側面断面図である。
【図４】本発明の第一の実施の形態に係る薪ストーブにおいて、薪を貯留した状態の作用を示す正面断面図である。
【図５】本発明の第二の実施の形態に係る薪ストーブを示す斜視図である。
【図６】本発明の第二の実施の形態に係る薪ストーブを示す正面断面図である。
【図７】従来の薪ストーブの一例を示す側面断面図である。
【符号の説明】
Ｓ　薪ストーブ
１　本体
２　燃焼室
３　投入口
４　煙突
５　連通口
６　二次燃焼室
７　白金触媒
１０　本体
１１　燃焼室
１２　足
１３　載置部
１４　覆い部
１４ａ　筒状体
１５　灰取出口
１６　灰受け部
１７　煙突
２０　第一投入口
２１　扉
２２　窓
３０　第二投入口
３１　蓋
４０　傾斜空気供給管
４１　流出口
４２　流入口
４３　延設部
４４　流入量調節機構
５０　水平空気供給管
５１　流出口
５２　流入口
５４　流入量調節機構
【図１】
2004077060.tif 000003
【図２】
2004077060.tif 000004
【図３】
2004077060.tif 000005
【図４】
2004077060.tif 000006
【図５】
2004077060.tif 000007
【図６】
2004077060.tif 000008
【図７】
2004077060.tif 000009